(57)【要約】      （修正有）【課題】簡易な構成で外部付属品の取り付けスペースを確保しつつ軽量化を図る。【解決手段】静止誘導機器用タンク１０は、鉄心とコイルとを組み合わせて構成された機器中身を絶縁媒体と共に収納する。静止誘導機器用タンクは、相互に対向するように設けられた２つの第１側壁２１と、相互に対向するように設けられ２つの第１側壁の端部２１１をそれぞれ接続すると共に、第１側壁２１に対して直角に設けられかつ第１側壁の端部２１１に対して第１側壁２１の面方向の内側に設けられた主体部２２１と、主体部の両端部２２３と第１側壁の端部２１１とを接続し主体部２２１及び第１側壁２１に対して傾斜した２つの傾斜部２２２と、を有する２つの第２側壁２２と、を備えている。【選択図】図３
2018037530.tif 000002
【特許請求の範囲】
【請求項１】
鉄心とコイルとを組み合わせて構成された機器中身を絶縁媒体と共に収納する静止誘導機器用タンクであって、
相互に対向するように設けられた２つの第１側壁と、
相互に対向するように設けられ２つの前記第１側壁の端部をそれぞれ接続すると共に、前記第１側壁に対して直角に設けられかつ前記第１側壁の端部に対して前記第１側壁の面方向の内側に設けられた主体部と、前記主体部の両端部と前記第１側壁の端部とを接続し前記主体部及び前記第１側壁に対して傾斜した２つの傾斜部と、を有する２つの第２側壁と、を備えている、
静止誘導機器用タンク。
【請求項２】
前記主体部と前記傾斜部との境界部分と前記第１側壁とを接続する補強部材を更に備えている、
請求項１に記載の静止誘導機器用タンク。
【請求項３】
前記第１側壁と前記傾斜部と前記補強部材とで中空の三角柱を形成している、
請求項２に記載の静止誘導機器用タンク。
【請求項４】
前記請求項１から３のいずれか一項に記載の静止誘導機器用タンクと、
前記静止誘導機器用タンク内に前記絶縁媒体と共に収納された前記機器中身と、
前記静止誘導機器用タンクの前記第１側壁の外側面に取り付けられた外部付属品と、
を備える静止誘導機器。
【発明の詳細な説明】
【技術分野】
【０００１】
本発明の実施形態は、静止誘導機器用タンク、及び静止誘導機器に関する。
【背景技術】
【０００２】
一般に油入変圧器などの静止誘導機器において、その軽量化を図るためには、タンク内に貯留される絶縁油等の絶縁媒体の貯留量を減らすことが有効である。しかしながら、一般に、タンクの外面には、静止誘導機器を支持するための吊耳やジャッキボス、又は放熱器等の外部付属品が取り付けられる。そのため、タンクには、外部付属品を取り付けるためのスペースを確保する必要がある。
【０００３】
この場合、タンク内の絶縁媒体の量を低減する手法としては、例えばタンクの外形寸法は変えずにタンク内部において機器中身の周囲に不要な空間を設けてタンク内の容積を小さくする方法や、タンクの外形寸法自体を小さくすることでタンク内の容積も小さくする方法が考えられる。
【０００４】
しかしながら、前者の場合では、不要な空間を形成するための追加の構造が必要となる。この場合、絶縁媒体の重量は低減されるものの追加の構造分の重量が加算されるため、絶縁媒体の低減による軽量化の効果が十分に得られ難い。また、後者の場合では、外部付属品を取り付けるための特殊な張り出し構造等が必要となり、タンクの構造が複雑となる。この場合、外部付属品の取り付け精度を確保するために特殊な治具を用いる必要があり、また、取り付けの際の調整のために多大な手間を要していた。
【先行技術文献】
【特許文献】
【０００５】
【特許文献１】特開２００３−１００５２１号公報
【発明の概要】
【発明が解決しようとする課題】
【０００６】
そこで、簡易な構成で外部付属品の取り付けスペースを確保しつつ軽量化を図ることができる静止誘導機器用タンク及び静止誘導機器を提供する。
【課題を解決するための手段】
【０００７】
実施形態の静止誘導機器用タンクは、鉄心とコイルとを組み合わせて構成された機器中身を絶縁媒体と共に収納する静止誘導機器用タンクである。静止誘導機器用タンクは、相互に対向するように設けられた２つの第１側壁と、相互に対向するように設けられ２つの前記第１側壁の端部をそれぞれ接続すると共に、前記第１側壁に対して直角に設けられかつ前記第１側壁の端部に対して前記第１側壁の面方向の内側に設けられた主体部と、前記主体部の両端部と前記第１側壁の端部とを接続し前記主体部及び前記第１側壁に対して傾斜した２つの傾斜部と、を有する２つの第２側壁と、前記主体部と前記傾斜部との境界部分と前記第１側壁とを接続する補強部材と、を備えている。
【０００８】
実施形態の静止誘導機器は、前記静止誘導機器用タンクと、前記静止誘導機器用タンク内に前記絶縁媒体と共に収納された前記機器中身と、前記静止誘導機器用タンクの前記第１側壁の外側面に取り付けられた外部付属品と、を備える。
【図面の簡単な説明】
【０００９】
【図１】一実施形態による静止誘導機器を示す正面図
【図２】一実施形態による静止誘導機器を示す側面図
【図３】一実施形態について、図１のＸ３−Ｘ３線に沿って示す横断平面図
【図４】一実施形態について、図３のＸ４−Ｘ４線に沿って示す縦断側面図
【発明を実施するための形態】
【００１０】
一実施形態について図面を参照しながら説明する。
図１〜図４に示す静止誘導機器１０は、静止誘導機器用タンク２０と、蓋部材１１と、図３に示す機器中身１２及び絶縁媒体１３と、を備えている。静止誘導機器用タンク２０（以下、単にタンク２０と称する）は、図４等に示すように全体として一方の面が開口した矩形の容器状に形成されている。本実施形態の場合、タンク２０は、図３等に示すように、平面視において全体として扁平した矩形容器状に形成されている。なお、以下の説明では、タンク２０の開口側をタンク２０の上側とし、開口とは反対側を下側とする。また、図３の矢印Ａで示す方向をタンク２０の長手方向とし、矢印Ａに直交する矢印Ｂで示す方向をタンク２０の短手方向とする。
【００１１】
図１及び図２に示すように、蓋部材１１は、例えば板状に構成されており、タンク２０の開口側すなわち上面側に設けられてタンク２０の開口を閉鎖している。図３に示す機器中身１２は、詳細は図示しないが鉄心とコイルとを組み合わせて構成されて、タンク２０内に収納されている。絶縁媒体１３は、例えば絶縁油やシリコーン液等の電気絶縁性を有する液体であり、機器中身１２の周囲を覆うようにしてタンク２０内に収納すなわち貯留されている。これにより、絶縁媒体１３は、機器中身１２を絶縁している。
【００１２】
タンク２０は、上述したように、内部に機器中身１２を絶縁媒体１３と共に収納するものである。タンク２０は、例えば鉄等の金属で構成されており、図３及び図４に示すように、２つの第１側壁２１と、２つの第２側壁２２と、底壁２３と、４つの補強部材２４と、を有している。底壁２３は、タンク２０の下側の壁すなわち底面を構成している。
【００１３】
本実施形態の場合、第１側壁２１と第２側壁２２と底壁２３とは、例えば鋳造等によって一体に構成されている。補強部材２４は、第１側壁２１と第２側壁２２と底壁２３とは別部材で構成され、溶接等によって第１側壁２１と第２側壁２２と底壁２３とに接続されている。なお、第１側壁２１と第２側壁２２と底壁２３とは、必ずしも一体である必要はなく、それぞれ別部材として製造した後に溶接等によって相互に接続しても良い。
【００１４】
第１側壁２１及び第２側壁２２は、タンク２０の周囲の側壁を構成している。２つの第１側壁２１は、それぞれ全体として矩形の平面状に形成されており、相互に対向するように設けられている。第１側壁２１は、タンク２０の短手方向すなわち図３の矢印Ｂ方向における両端部の面を形成している。この場合、図１の矢印で示す上下方向及び図３の矢印Ａで示す方向が、第１側壁２１の面方向となる。図３に示すように、第１側壁２１の長手方向の寸法をＬ１とする。
【００１５】
２つの第２側壁２２は、相互に対向するように設けられている。２つの第２側壁２２は、対向した２つの第１側壁２１の端部２１１をそれぞれ接続している。第２側壁２２は、タンク２０の長手方向すなわち図３の矢印Ａ方向における両端部の面を形成している。この場合、第１側壁２１の面積は、第２側壁２２の面積よりも大きい。
【００１６】
第２側壁２２は、１つの主体部２２１と、２つの傾斜部２２２と、を有している。主体部２２１は、第１側壁２１に対して直角となるように設けられている。また、主体部２２１は、第１側壁２１の端部２１１に対して第１側壁２１の面方向の内側つまり長手方向の内側に設けられている。すなわち、主体部２２１は、第１側壁２１の端部２１１に対して第１側壁２１の長手方向の中心側に設けられている。
【００１７】
この場合、対向する２つの主体部２２１間の寸法をＬ２とする。第１側壁２１の長手方向の寸法Ｌ１は、２つの第２側壁２２における主体部２２１の対向間寸法Ｌ２よりも大きい。傾斜部２２２は、主体部２２１の両端部２２３と第１側壁２１の端部２１１とを接続している。このため、傾斜部２２２は、主体部２２１及び第１側壁２１のそれぞれに対して傾斜している。
【００１８】
換言すれば、傾斜部２２２は、第１側壁２１の端部２１１から主体部２２１の端部２２３にかけて、タンク２０の中心Ｏ側へ向かって傾斜している。これにより、第２側壁２２は、主体部２２１に対して傾斜部２２２をタンク２０の長手方向の外側へ折り曲げるようにして形成されている。この場合、タンク２０は、主体部２２１及び傾斜部２２２を有する第２側壁２２によって、タンク２０の長手方向の両端側の壁面が窪んだ形状となっている。第２側壁２２は、タンク２０の上下方向の全体に亘って設けられている。
【００１９】
すなわち、タンク２０の長手方向の両端部に設けられた側壁は、上下方向の全体に亘って、図３に示すように、平面視で中心Ｏ側が上辺で中心Ｏの反対側が下辺となる台形状に窪んでいる。この場合、第２側壁２２によって形成されたタンク２０窪み部分を窪み部２０１とする。本実施形態の場合、窪み部２０１の体積は、図３に示す窪み部２０１の断面積に、窪み部２０１の上下方向の長さ寸法を乗じて算出される。
【００２０】
補強部材２４は、タンク２０の上下方向に長い矩形の板状に形成されている。補強部材２４は、図４にも示すように、タンク２０の上下方向の略全体に亘って設けられている。補強部材２４は、主体部２２１と傾斜部２２２との境界部分２２３と、第１側壁２１の内面とを接続している。補強部材２４は、第１側壁２１及び第２側壁２２の主体部２２１に対して、傾斜部２２２とは逆方向へ傾斜している。すなわち、第２側壁２２の両端部２２３に設けられた２つの補強部材２４は、両端部２２３からタンク２０の長手方向の中心側へ向かうほど、タンク２０の短手方向に沿って外側へ相互に広がるように設けられている。そして、第１側壁２１と第２側壁２２の傾斜部２２２と補強部材２４とで、内部に隙間を有した中空の三角柱２０２を形成している。補強部材２４の下端部がタンク２０の底面に達するように構成すれば、絶縁媒体１３は、三角柱２０２を避けて貯留される。
【００２１】
また、図２及び図３に示すように、タンク２０は、複数の補助部材２５を有している。補助部材２５は、タンク２０と同様に鉄等の金属によって構成されている。補助部材２５は、窪み部２０１に沿った台形の板状に形成されており、第２側壁２２の外側面に接した状態で設けられている。各補助部材２５は、図２に示すように、第２側壁２２に沿って上下方向に所定間隔で設けられている。補助部材２５の台形の上辺及び斜辺は、それぞれ主体部２２１の外面と傾斜部２２２の外面とに溶接等により接続されている。この場合、補助部材２５の面積は、窪み部２０１の断面積に略等しい。この構成により、タンク２０は、図３に示すように、第１側壁２１の外面と台形状の補助部材２５の下辺とによって、平面視で横長すなわち図３の矢印Ａ方向に長い矩形状に形成されている。
【００２２】
また、静止誘導機器１０は、外部付属品として複数の放熱器３０を備えている。複数の放熱器３０は、それぞれ第１側壁２１の外側面に設けられている。この場合、２つの第１側壁２１には、その外側面の略全面すなわち外側面の半分以上の面積に亘って設けられている。各放熱器３０は、複数のフィンを有しており、配管３１を介してタンク２０内に連通している。タンク２０内の絶縁媒体は、配管３１内を流れることで放熱器３０によって放熱される。なお、静止誘導機器１０は、外部付属品として、図示しない静止誘導機器を支持するための吊耳やジャッキボスを備えていても良い。この図示しない吊耳やジャッキボスは、放熱器３０と同様に第１側壁２１の外側面に取り付けられる。
【００２３】
このように、本実施形態によれば、タンク２０は、第１側壁２１と、第２側壁２２と、を備えている。２つの第１側壁２１は、相互に対向するように設けられている。２つの第２側壁２２は、相互に対向するように設けられ、２つの第１側壁２１の端部２１１をそれぞれ接続している。また、第２側壁２２は、１つの主体部２２１と、２つの傾斜部２２２と、を有している。主体部２２１は、第１側壁２１に対して直角に設けられかつ第１側壁２１の端部２１１に対して第１側壁２１の面方向の内側に設けられている。傾斜部２２２は、主体部２２１の両端部２２３と、第１側壁２１の端部２１１とを接続し、主体部２２１及び第１側壁２１に対して傾斜している。
【００２４】
すなわち、タンク２０において長手方向の両端部を構成する第２側壁２２には、タンク２０の中心Ｏ側へ向かって窪んだ窪み部２０１が形成されている。これによれば、タンク２０を平面視において単純な矩形状に形成した場合つまり窪み部２０１が無い場合と比べて、少なくとも窪み部２０１の体積分、絶縁媒体１３の量を低減し軽量化することができる。そして、窪み部２０１を設けた場合であっても、第１側壁２１の面積を減らす必要が無い。したがって、第１側壁２１の外面に対する外部付属品３０の取り付け可能な面積を減らす必要が無く、外部付属品３０の取り付けスペースを十分に確保することができる。
【００２５】
このように、本実施形態によれば、静止誘導機器１０は、主体部２２１の短手方向の両端部の傾斜部２２２を長手方向の外側へ折り曲げるようにして第１側壁２１を構成するという簡易な構成、すなわち第２側壁２２に窪み部２０１を設けるという簡易な構成で、外部付属品３０の取り付けスペースを確保しつつ、絶縁媒体１３の量を低減して静止誘導機器１０全体として軽量化を図ることができる。この場合、タンク２０は、第１側壁２１の外側面に外部付属品３０を取り付けることができるため、外部付属品３０を取り付けるための特殊な張り出し構造等が不要である。そのため、タンク２０の構造を簡単なものとすることができる。更には、外部付属品３０の取り付け精度を確保するために特殊な治具等を用いる必要がなく、取り付けの際の調整の手間を低減することができる。
【００２６】
また、この場合、第２側壁２２は、図３に示すように、平面視において主体部２２１に対して傾斜部２２２を折り曲げるようにして構成されている。そのため、第２側壁２２は、単純な平板状に構成した場合に比べて、タンク２０の上下方向への加重に対しては強くなるが、タンク２０の短手方向すなわち図３の矢印Ｂ方向への加重に対しては弱くなり易い。そこで、本実施形態において、タンク２０は、補強部材２４を更に有している。補強部材２４は、主体部２２１と傾斜部２２２との境界部分２２３と、第１側壁２１と、を接続している。これによれば、タンク２０を、タンク２０の短手方向すなわち図３の矢印Ｂ方向への加重に対しても強くすることができる。
【００２７】
そして、第１側壁２１と第２側壁２２の傾斜部２２２と補強部材２４とで、内部に隙間を有する中空の三角柱２０２を形成している。この場合、補強部材２４の下端部がタンク２０の底面に達するように構成すれば、三角柱２０２の内部に絶縁媒体１３を満たさないようにできる。これによれば、静止誘導機器１０は、窪み部２０１の体積分に加え、三角柱２０２の体積分、絶縁媒体１３の量を低減し、更なる軽量化ができる。以上の結果、静止誘導機器１０は、簡易な構成で更に軽量化を図ることができる。
【００２８】
以上本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００２９】
図面中、１０は静止誘導機器、１２は機器中身、１３は絶縁媒体、２０は静止誘導機器用タンク、２０２は三角柱、２１は第１側壁、２１１は第１側壁の端部、２２は第２側壁、２２１は主体部、２２２は傾斜部、２２３は主体部の端部、２４は補強部材、３０は放熱器（外部付属品）を示す。
【図１】
2018037530.tif 000003
【図２】
2018037530.tif 000004
【図３】
2018037530.tif 000005
【図４】
2018037530.tif 000006